(57)【要約】      （修正有）【課題】折り畳み式昇降可能な支持装置を提供する。【解決手段】折り畳み式昇降可能な支持装置は、枢支部１２および組立部１４を備えており当該組立部が組立面１４２を有する支持構造１０と、枢結端２２２と自由端と翼部２２６とを含む円柱体２２を備える脚体構造２０とを含む。円柱体は、支持構造に対して枢動できるように、枢結端が支持構造の枢支部１２に枢結され、円柱体の翼部２２６は、当接面を有し、円柱体が展開位置に枢動するとき、翼部の当接面は、組立部の組立面に接触して、固定手段により固定される。本考案により、テーブルの天板及びテーブルの脚を折畳むことにより、テーブル的体積を減少することができる。したがって、荷積みの容量の増加に役立ち、テーブルの搬送効率を向上させて、容易に組み立てることができる。【選択図】図５
0003225188.tif 000002
【実用新案登録請求の範囲】
【請求項１】
枢支部および組立部を備えており当該組立部が組立面を有する支持構造と、
枢結端と自由端と翼部とを含む円柱体を備える脚体構造と、
を含む折り畳み式昇降可能な支持装置であって、
前記円柱体は、前記支持構造に対して枢動できるように、前記枢結端が前記支持構造の前記枢支部に枢結され、
前記円柱体の前記翼部は、当接面を有し、前記円柱体が展開位置に枢動するとき、前記翼部の前記当接面は、前記組立部の前記組立面に接触して、固定手段により固定されることを特徴とする折り畳み式昇降可能な支持装置。
【請求項２】
前記翼部は、前記円柱体の一側面から径方向に突出することを特徴とする、請求項１に記載の折り畳み式昇降可能な支持装置。
【請求項３】
前記組立部は、前記組立面に設けられるボルトを含み、前記翼部は、前記ボルトに対応する切り口または開口を有し、前記翼部の前記当接面が前記組立部の前記組立面に接触するとき、前記組立部の前記ボルトは、前記翼部の前記切り口または開口を貫通し、前記固定手段は、ナットによりボルトに螺合して、前記翼部を前記組立部に固定することを特徴とする、請求項１に記載の折り畳み式昇降可能な支持装置。
【請求項４】
前記円柱体は、さらに無段式伸縮スリーブのアセンブリを含み、前記無段式伸縮スリーブのアセンブリは、複数のスリーブを含み、前記複数のスリーブは、互いにスリーブ接続して伸縮することで前記円柱体の長さを調節することを特徴とする、請求項１に記載の折り畳み式昇降可能な支持装置。
【請求項５】
前記脚体構造は、さらに、前記無段式伸縮スリーブのアセンブリに設けられたスクリュー及び複数のナットを含み、各前記ナットは、それぞれ前記複数のスリーブのいずれか一つに対応して同軸に固定され、前記スクリューは前記複数のナットを貫通するように配置されており、
前記スクリューが駆動ユニットと連動して回転する場合、前記複数のナットは、前記スクリューと連動して前記スクリューの軸方向に沿って移動し、前記複数のスリーブを伸縮させて前記円柱体の長さを調整させる、ことを特徴とする請求項４に記載の折り畳み式昇降可能な支持装置。
【請求項６】
前記脚体構造は、さらに、支持基部を備え、
前記支持基部は、着脱可能に前記円柱体の前記自由端に連結することを特徴とする、請求項１に記載の折り畳み式昇降可能な支持装置。
【請求項７】
前記支持構造は、テーブルの天板の底面に固定され、
前記テーブルの天板は、中央の天板及び翼端板を含み、
前記翼端板は、前記中央の天板に対して枢動できるように該中央の天板に枢結されることを特徴とする、請求項１に記載の折り畳み式昇降可能な支持装置。
【請求項８】
前記支持構造は、さらに、支持アームを備え、
前記支持アームは、前記組立部に対して枢動できるように該組立部に枢結され、
前記支持アームが折畳み位置に位置するとき、前記支持アームの支持面は、前記中央の天板の底面に向き、前記翼端板と前記中央の天板とがほぼ垂直になり、
前記翼端板が枢動して前記翼端板の上面と前記中央の天板の上面とがほぼ面一になるように展開し、前記支持アームが支持位置に位置するとき、前記支持アームの前記支持面は、前記翼端板の底面に向いて接触して、前記翼端板が前記中央の天板に対して枢動できないように前記翼端板を支持することを特徴とする、請求項７に記載の折り畳み式昇降可能な支持装置。
【請求項９】
前記支持アームは中空のチューブであり、位置決め突出部及び弾性シートを含み、前記中空のチューブは開口を有し、前記弾性シートの一端は、前記中空のチューブの内面に固定され、前記弾性シートの他端は、前記位置決め突出部に固定され、前記中央の天板の底面は凹部を有し、前記支持アームが前記折畳み位置に位置するとき、前記中空チューブの前記開口を前記中央の天板の底面の前記凹部に対応させないことで、前記位置決め突出部が前記弾性シートの弾性力を受けて前記開口を貫通して前記中央の天板の底面に当接し、
前記支持アームが前記支持位置に位置するとき、前記中空チューブの前記開口が前記中央の天板の底面の前記凹部に対応して、前記位置決め突出部が前記弾性シートの弾性力を受けて前記開口を貫通して前記中央の天板の底面の前記凹孔に係止ることによって、前記支持アームが前記枢支部に対して枢動できないように配置される、ことを特徴とする請求項８に記載の折り畳み式昇降可能な支持装置。
【請求項１０】
前記翼端板は、前記翼端板の底面に固定されたスペーサを備え、前記支持アームが前記支持位置に位置するとき、前記スペーサは、前記翼端板の底面と前記支持アームの前記支持面との間に位置して、前記翼端板の上面と前記中央の天板の上面とをほぼ面一にさせる、ことを特徴とする請求項８に記載の折り畳み式昇降可能な支持装置。
【請求項１１】
枢支部および組立部を備える支持構造と、
枢結端と自由端と翼部とを含む円柱体を備える脚体構造と、を含む畳み式昇降可能な支持装置であって、
前記円柱体は、前記支持構造に対して枢動できるように、前記枢結端が前記支持構造の前記枢支部に枢結され、
前記円柱体が展開位置に枢動するとき、前記翼部が単点固定手段で前記組立部に固定されることを特徴とする折り畳み式昇降可能な支持装置。
【請求項１２】
前記翼部は前記円柱体の一側面から径方向に沿って突出することを特徴とする、請求項１１に記載の折り畳み式昇降可能な支持装置。
【請求項１３】
前記組立部は、前記組立面に設けられるボルトを含み、前記翼部は、前記ボルトに対応する切り口または開口を有し、前記翼部の前記当接面と前記組立部の前記組立面に接触するとき、前記組立部の前記ボルトは、前記翼部の前記切り口または開口を貫通し、前記単点固定形態は、ナットを用いて前記ボルトに螺合して、前記翼部を前記組立部に固定する、ことを特徴とする、請求項１１に記載の折り畳み式昇降可能な支持装置。
【請求項１４】
前記円柱体は、さらに無段式伸縮スリーブのアセンブリを備え、前記無段式伸縮スリーブのアセンブリは、複数のスリーブを備え、前記複数のスリーブは、互いにスリーブ接続して伸縮することで前記円柱体の長さを調整する、ことを特徴とする請求項１１に記載の折り畳み式昇降可能な支持装置。
【請求項１５】
前記脚体構造は、さらに、前記無段式伸縮スリーブのアセンブリに設けられたスクリュー及び複数のナットを含み、各前記ナットは、それぞれ前記複数のスリーブのいずれか一つに対応して同軸に固定され、前記スクリューは前記複数のナットを貫通するように配置されており、
前記スクリューが駆動ユニットと連動して回転する場合、前記複数のナットは、前記スクリューと連動して前記スクリューの軸方向に沿って移動し、前記複数のスリーブを伸縮させて前記円柱体の長さを調整させる、ことを特徴とする請求項１４に記載の折り畳み式昇降可能な支持装置。
【請求項１６】
前記テーブルの脚部品は、さらに支持基部を含み、
前記支持基部は、前記円柱体の前記自由端に着脱可能に連結する、ことを特徴とする請求項１１に記載の折り畳み式昇降可能な支持装置。
【請求項１７】
前記支持構造は、テーブルの天板の底面に固定され、
前記テーブルの天板は、中央の天板及び翼端板を含み、
前記翼端板は、前記中央の天板に対して枢動できるように該中央の天板に枢結される、ことを特徴とする請求項１１に記載の折り畳み式昇降可能な支持装置。
【請求項１８】
前記支持構造は、さらに、支持アームを含み、
前記支持アームは、前記組立部に対して枢動できるように該組立部に枢結され、
前記支持アームが折畳み位置に位置するとき、前記支持アームの支持面は前記中央の天板の底面に向いて、前記翼端板と前記中央の天板とがほぼ垂直になり、
前記翼端板が枢動して前記翼端板の上面と前記中央の天板の上面とがほぼ面一になるように展開し、前記支持アームが支持位置に位置するとき、前記支持アームの前記支持面は、前記翼端板の底面に向いて接触して、前記翼端板が前記中央の天板に対して枢動できないように前記翼端板を支持することを特徴とする請求項１７に記載の折り畳み式昇降可能な支持装置。
【請求項１９】
前記支持アームは中空のチューブであり、位置決め突出部及び弾性シートを含み、前記中空チューブは開口を有し、前記弾性シートの一端は前記中空チューブの内面に固定され、前記弾性シートの他端が前記位置決め突出部に固定され、前記中央の天板の底面は凹部を有し、前記支持アームが折畳み位置に位置するとき、前記中空チューブの前記開口を、前記中央の天板の底面の前記凹孔に対応させないことで、前記位置決め突出部が前記弾性シートの弾性力を受けて前記開口を貫通して前記中央の天板の底面に当接し、
前記支持アームが前記支持位置に位置するとき、前記中空チューブの前記開口は前記中央の天板の底面の前記凹部に対応して、前記位置決め突出部が前記弾性シートの弾性力を受けて前記開口を貫通して、前記中央の天板の底面の前記凹部に係止ることによって、前記支持アームが前記枢支部に対して枢動できないように配置される、ことを特徴とする請求項１８に記載の折り畳み式昇降可能な支持装置。
【請求項２０】
前記翼端板は、前記翼端板の底面に固定されたスペーサを含み、
前記支持アームが前記支持位置に位置するとき、前記スペーサは、前記翼端板の底面と前記支持アームの前記支持面との間に位置して、前記翼端板の上面と前記中央の天板の上面とがほぼ面一にさせる、ことを特徴とする請求項１８に記載の折り畳み式昇降可能な支持装置。
【考案の詳細な説明】
【技術分野】
【０００１】
本考案は、テーブル支持装置に関し、特に、折り畳み式昇降可能なテーブル支持装置に関する。
【背景技術】
【０００２】
通常、普通のオフィス家具のテーブルは、大部分が工場内で組み立てられたものであり、使用者が注文することによって直接、工場から使用者が指定した配達先に発送される。例として、当該使用者が大型事務テーブルを注文すれば、これらの組み立てられた事務テーブルをどんなに早期にトラックで搬送するとともに、搬送回数を減少することは、多数のオフィス家具の業者にとって難しい。
【０００３】
上記の組み立てられたテーブルの搬送困難の課題を解決するために、係る業者は、分散した部品を包装したテーブル製品を開発して、テーブルの体積を削減させて、荷積みの容量を増加させ、かつ、荷積みの効率を向上させている。
【０００４】
しかしながら、これらの分散した部品を包装したテーブル製品をユーザが受け取った後、ユーザは、自ら説明書に基づいて組み立てる必要がある。注文量が膨大であるか、または分散した部品が複雑である場合、このように自ら組み立てる必要があるテーブル製品は、組立に時間がかかるだけではなく、組立方式および順次の間違いにより、これらのテーブル製品が組み立てられずに損害が発生したり、正常に使用できなくなったりすることがある。
【０００５】
他方、このように自ら組み立てる必要があるテーブル製品は、大多数は設計が簡単で、組立が容易であるが、その構造の安定性および支持力は低下して、伝統的な組み立てられたテーブルと比べると、その耐久性が低く、耐荷力および安定性が低い。
【０００６】
したがって、従来のテーブルの構造の設計は、明らかな欠陥があり、解決案が必要になる。
【考案の概要】
【考案が解決しようとする課題】
【０００７】
上記事情に鑑みて、本考案は、折り畳み式昇降可能な支持装置を提供し、特に、テーブルの天板およびテーブルの脚を折り畳むことにより、テーブルの体積を減少させる、テーブルのための折り畳み式昇降可能な支持装置を提供することを目的として、荷積みの容量を増加させて、本考案によるテーブルの搬送効率を向上させることに役立つ。
【課題を解決するための手段】
【０００８】
上記目的を達成するために、本考案に係わる折り畳み式昇降可能な支持装置は、枢支部および組立部を備えており当該組立部が組立面を有する支持構造と、枢結端と自由端と翼部とを含む円柱体を備える脚体構造と、を含む折り畳み式昇降可能な支持装置であって、前記円柱体は、前記支持構造に対して枢動できるように、前記枢結端が前記支持構造の前記枢支部に枢結され、前記円柱体の前記翼部は、当接面を有し、前記円柱体が展開位置に枢動するとき、前記翼部の前記当接面は、前記組立部の前記組立面に接触して、固定手段により固定される。
【０００９】
本考案のもう一つの目的を達成するために、本考案に係わる折り畳み式昇降可能な支持装置は、枢支部および組立部を備える支持構造と、枢結端と自由端と翼部とを含む円柱体を備える脚体構造と、を含む畳み式昇降可能な支持装置であって、前記円柱体は、前記支持構造に対して枢動できるように、前記枢結端が前記支持構造の前記枢支部に枢結され、前記円柱体が展開位置に枢動するとき、前記翼部が単点固定手段で前記組立部に固定される。
【考案の効果】
【００１０】
本考案によれば、以下の効果を有する。テーブルの天板及テーブルの脚を折畳むことにより、テーブルの体積を減少させて荷積みの容量を増加させているので、本考案によるテーブルの搬送効率を向上させることができる。他方、本考案による折り畳み式昇降可能な支持装置は、操作が簡単で、折畳み状態のテーブルを展開状態のテーブルに展開し、展開状態のテーブルは、支持基部が組み立てられた後、直接に使用できる。従来の自ら組み立てるテーブル製品に対して、本考案による折り畳み式昇降可能な支持装置を有するテーブル構造は、耐久性が優れ、耐荷力および安定性が高い。
【図面の簡単な説明】
【００１１】
【図１】本考案の一つの実施形態によるテーブルの折り畳み状態の傾斜図であり、当該テーブルは、第１の視角で示されるものである。
【図２】本考案の一つの実施形態によるテーブルのもう一つの折り畳み状態の傾斜図であり、当該テーブルは、第２の視角で示されるものである。
【図３】本考案の一つの実施形態によるテーブルの展開状態の傾斜図であり、当該テーブルは、第１の視角で示されるものである。
【図４Ａ】本考案の一つの実施形態によるテーブルのもう一つの展開状態の傾斜図であり、当該テーブルは、第２の視角で示されるものである。
【図４Ｂ】本考案のもう一つの実施形態によるテーブルの部分拡大図である。
【図５】本考案の一つの実施形態による折り畳み式昇降可能な支持装置の断面図であり、当該折り畳み式昇降可能な支持装置は組み立てられていない状態である。
【図６】本考案の一つの実施形態による折り畳み式昇降可能な支持装置のもう一つの断面図であり、当該折り畳み式昇降可能な支持装置は組立られた状態である。
【図７】本考案の一つの実施形態による折り畳み式昇降可能な支持装置のもう一つの断面図である。
【図８】本考案の一つの実施形態による折り畳み式昇降可能な支持装置の支持アームの底面図であり、当該折り畳み式昇降可能な支持装置の支持アームは折り畳み状態である。
【図９】本考案の一つの実施形態による折り畳み式昇降可能な支持装置の支持アームのもう一つの底面図であり、当該折り畳み式昇降可能な支持装置の支持アームは展開状態である。
【図１０】本考案の一つの実施形態による折り畳み式昇降可能な支持装置の支持アームの断面図であり、当該折り畳み式昇降可能な支持装置の支持アームは展開状態である。
【考案を実施するための形態】
【００１２】
図１および図２を参照して説明する。図１は、本考案の一つの実施形態によるテーブル１の折り畳み状態の傾斜図であり、その中のテーブル１は、第１の視角で示されるものであり、図２は、本考案の一つの実施形態によるテーブル１のもう一つの折り畳み状態の傾斜図であり、その中のテーブル１は第２の視角で示されるものである。
【００１３】
テーブル１は、折り畳み式昇降可能な支持装置を含み、折り畳み式昇降可能な支持装置は、支持構造１０と、脚体構造２０と、天板３０とを備え、天板３０は、中央の天板３２と両翼の天板３４とを備え、両翼の天板３４は、それぞれ独立に中央の天板３２に対して枢動可能に中央の天板３２にピンで連結している。図１および図２において、テーブル１は、折り畳み状態で示されるものであり、その中の両翼の天板３４は、中央の天板３２に対してほぼ直角になし、脚体構造２０は、支持構造１０に対して折畳んで折り畳み状態になり、これによりテーブル１の体積を減少させて、荷積みの容量を増加させて、さらに本考案の実施形態によるテーブル１の搬送効率を向上させる。
【００１４】
図３および図４Ａを参照して、図３は、本考案の一つの実施形態によるテーブル１の展開状態の傾斜図であり、その中のテーブル１は、第１の視角で示されるものであり、図４Ａは、本考案の一つの実施形態によるテーブル１のもう一つの展開状態の傾斜図であり、その中のテーブル１は第２の視角で示されるものである。
【００１５】
図３および図４Ａにおいて、テーブル１は、展開状態で示されるものであり、その中の両翼の天板３４の上面は、中央の天板３２の上面とほぼ同一高さ面とされ、脚体構造２０は、支持構造１０から離れて展開状態となってテーブル１が組み立てられる。本考案の実施形態においては、脚体構造２０は、支持基部２４を更に備え、支持基部２４は、円柱体２２の自由端２２４に着脱可能に接続される。これにより、本考案の実施形態による折り畳み式昇降可能な支持装置は、簡単に、折畳み状態のテーブル１（図１および図２に示す）を展開状態のテーブル１（図３および図４Ａに示す）に展開することができる。展開状態のテーブル１は、支持基部２４が組み立てられた後、直接使用できる。従来の自ら組み立てる必要のあるテーブル製品に対して、本考案による折り畳み式昇降可能な支持装置を有するテーブル１の構造は耐久性が優れ、耐荷力および安定性が高い。
【００１６】
つぎに、図５および図６を参照して説明する。支持構造１０は、枢支部１２および組立部１４を有し、脚体構造２０は、円柱体２２を備え、当該円柱体２２は、枢接端２２２、自由端２２４および翼部２２６を含む。円柱体２２は、枢接端２２２が支持構造１０の枢支部１２に枢支されることによって、円柱体２２が支持構造１０に対して回動することができる。図５において、円柱体２２は、支持構造１０に対して折畳み状態である。図６において、円柱体２２は、支持構造１０に対して展開状態になる。本考案の実施形態では、翼部２２６は、円柱体２２の側面２２ａから径方向に沿って突出するものである。
【００１７】
組立部１４は、組立面１４２を有し、円柱体２２の翼部２２６は、当接面２２６２を有し、円柱体２２が展開位置に回動するとき、翼部２２６の当接面２２６２が組立部１４の組立面１４２に接触し、固定手段により固定される。図６に示すように、本考案の実施形態では、翼部２２６は、単点の固定により組立部１４に固定される。
【００１８】
図６において、組立部１４は、組立面１４２に設けられたボルト１４４を備え、翼部２２６が、ボルト１４４に対応する切り口（図示せず）または開口２２６４を有する。翼部２２６の当接面２２６２が、組立部１４の組立面１４２に接触するとき、組立部１４のボルト１４４が、翼部２２６の切り口または開口２２６４を貫通する。上記の固定形態では、ナット２２６５によりボルト１４４に螺合することで、翼部２２６が組立部１４に固定されるが、本考案の固定形態は、これに限られるものではない。翼部２２６が組立部１４に接触するとき、翼部２２６と組立部１４とを互いに固定する如何なる形態も、本考案の実施形態に適用できる。本考案のもう一つの実施形態では、図４Ｂに示すように、上記固定形態では、簡易脱着部材２２６６を介してボルト１４４に連結して、翼部２２６を組立部１４に固定する。
【００１９】
次いで、図７を参照して説明する。円柱体２２は、さらに無段式伸縮スリーブのアセンブリを備える。無段式伸縮スリーブのアセンブリは、複数のスリーブ２２８ａ、２２８ｂ、２２８ｃを備える。スリーブ２２８ａ、２２８ｂ、２２８ｃは、互いにスリーブ接続して伸縮することで円柱体２２の長さを調節する。本考案の実施形態では、スリーブ２２８ａ、２２８ｂ、２２８ｃが互いに異なる内径を有し、スリーブ２２８ａ、２２８ｂ、２２８ｃは、内径のサイズに応じて小さい順に順次にスリーブ接続される。例として、スリーブ２２８ａの内径は、スリーブ２２８ｂの内径よりも大きく、スリーブ２２８ｂの内径は、スリーブ２２８ｃの内径よりも大きい。したがって、スリーブ２２８ｃは、スリーブ２２８ｂ内を貫通するように設けられ、スリーブ２２８ｂはスリーブ２２８ａ内を貫通するように設けられる。
【００２０】
図７では、脚体構造２０は、さらに、スクリュー２６および複数のナット２８ａ、２８ｂを含む。スクリュー２６および複数のナット２８ａ、２８ｂは、いずれも当該無段式伸縮スリーブのアセンブリに設けられる。本考案の実施形態では、ナット２８ａは、スリーブ２２８ｂに対応して固定される。ナット２８ｂは、スリーブ２２８ｃに対応して固定される。スクリュー２６は、ナット２８ａ、２８ｂを貫通するように設けられる。スクリュー２６が、駆動ユニット４０に連動して回転するとき、ナット２８ａ、２８ｂは、スクリュー２６に連連動してスクリュー２６の軸方向ＡＸに沿って移動して、さらにスリーブ２２８ｂ、２２８ｃを伸縮させて円柱体２２の長さを調節する。本考案の実施形態では、スクリュー２６と駆動ユニット４０は、傘歯車のアセンブリ（図示せず）を介して互いに接続され、傘歯車のアセンブリを介して駆動ユニット４０の動的エネルギーをスクリュー２６に伝達して、スクリュー２６を回転させる。本考案の実施形態では、駆動ユニット４０は、例えば電動モータまたは人工回転部材である。
【００２１】
つづいて、図８乃至図１０を参照して説明する。支持構造１０は、テーブルの天板３０の底面に固定される。本考案の実施形態では、テーブルの天板３０は、中央の天板３２および両翼の天板３４を含み、両翼の天板３４が、中央の天板３２に回動自在に枢結される。本考案の実施形態では、支持構造１０は、支持アーム１６を含む。支持アーム１６は、組立部１４に対して回動できるように該組立部１４に枢結される。図８では、支持アーム１６が折畳み位置となり、その際、支持アーム１６が枢支部１２にほぼ平行となる。図９では、支持アーム１６が支持位置となり、支持アーム１６が枢支部１２にほぼ垂直となる。
【００２２】
支持アーム１６が折畳み位置にあるとき、支持アーム１６の支持面１６２は中央の天板３２の底面３２２に向き、両翼の天板３４が折畳み状態であって中央の天板３２にほぼ垂直となる。両翼の天板３４が回動して両翼の天板３４の上面３４４と中央の天板３２の上面３２４とがほぼ面一になるように展開することによって、支持アーム１６が支持位置になるとき、支持アーム１６の支持面１６２が両翼の天板３４の底面３４２に向いて接触して、両翼の天板３４が中央の天板３２に対して回動することができないように両翼の天板３４を支持する。
【００２３】
図１０では、支持アーム１６は、中空のチューブであり、位置決め突出部１６４および弾性シート１６６を含む。弾性シート１６６の一端は、中空のチューブの内面１６５に固定され、弾性シート１６６の他端は位置決め突出部１６４に固定される。中空のチューブは開口１６３を有し、中央の天板３２の底面３２２は、凹部３２２ａを有する。支持アーム１６が折畳み位置になるとき、中空のチューブの開口１６３は、中央の天板３２の底面３２２の凹部３２２ａに対応していないので、位置決め突出部１６４が弾性シート１６６の弾性力を受けて開口１６３を貫通して中央の天板３２の底面３２２に当接する。支持アーム１６が支持位置になるとき、中空のチューブの開口１６３が中央の天板３２の底面３２２の凹部３２２ａに対応して、位置決め突出部１６４が弾性シート１６６の弾性力を受けて開口１６３を貫通して中央の天板３２の底面３２２の凹部３２２ａに係止して、支持アーム１６が枢支部１２に対して回動することができない。なお、位置決め突出部１６４および弾性シート１６６は必須の部品ではなく、実際の使用に応じて配置できるものである。
【００２４】
図１０では、両翼の天板３４は、両翼の天板３４の底面３４２に固定されるスペーサ３４６を含む。支持アーム１６が支持位置に位置するとき、スペーサ３４６は、中央の天板３２の底面３２２と支持アーム１６の支持面１６２との間に位置し、両翼の天板３４の上面３４４と中央の天板３２の上面３２４とがほぼ同じ高さの面となるが、本考案の実施形態によるスペーサの位置はこれに限られない。なお、スペーサ３４６は、必須の部材ではなく、実際の使用において必要に応じて設定することができる。または、図４Ａに示すように、支持アーム１６の貫通孔１６８を介して直接にネジにより支持アーム１６および両翼の天板３４を固定してもよい。
【００２５】
本考案のもう一つの実施形態では、支持アーム１６は、支持アーム１６の支持面１６２に固定されるスペーサ（図示せず）を含む。支持アーム１６が支持位置にあるとき、スペーサは、支持アーム１６の支持面１６２と両翼の天板３４の底面３４２との間に位置し、両翼の天板３４の上面３４４と中央の天板３２の上面３２４とがほぼ同じ高さの面となる。
【００２６】
本考案の設計に基づいて、本考案の実施形態による折り畳み式昇降可能な支持装置により、テーブルの天板およびテーブルの脚を折り畳んで、テーブルの体積を減少させる。したがって、荷積みの容量を増加させることができ、さらに本考案によるテーブルの搬送効率が向上する。他方、本考案による折り畳み式昇降可能な支持装置は、操作が簡単で、容易に折畳み状態のテーブルを展開状態のテーブルに展開することができる。展開状態のテーブルは、支持脚部が組み立てられた後、直接に使用できる。従来技術の自ら組み立てるテーブルの製品に対して、本考案による折り畳み式昇降可能な支持装置を有するテーブルの構造は、その耐久性が優れ、耐荷力および安定性が高い。
【００２７】
上述したものは本考案の好ましい実施形態に過ぎず、本考案の明細書および考案の請求の範囲を適用することによってなされた均等な変化はすべて、本考案の請求の範囲内に含まれる。
【符号の説明】
【００２８】
１  テーブル
１０  支持構造
１２  枢支部
１４  組立部
１４２  組立面
１４４  ボルト
１６  支持アーム
１６３  開口
１６４  位置決め突出部
１６５  内表面
１６６  弾性シート
１６８  貫通孔
２０  脚体構造
２２  円柱体
２２ａ  側面
２２２  枢結端
２２４  自由端
２２６  翼部
２２６２  当接面
２２６４  開口
２２６５  ナット
２２６６  簡易脱着部品
２２６７  切り口
２２８ａ、２２８ｂ、２２８ｃ  スリーブ
２４  支持基部
２６  スクリュー
２８ａ、２８ｂ  ナット
３０  テーブルの天板
３２  中央の天板
３２２  底面
３２２ａ  凹部
３２４  上面
３４  両翼の天板
３４２  底面
３４４  上面
３４６  スペーサ
４０  駆動ユニット
【図１】
0003225188.tif 000003
【図２】
0003225188.tif 000004
【図３】
0003225188.tif 000005
【図４Ａ】
0003225188.tif 000006
【図４Ｂ】
0003225188.tif 000007
【図５】
0003225188.tif 000008
【図６】
0003225188.tif 000009
【図７】
0003225188.tif 000010
【図８】
0003225188.tif 000011
【図９】
0003225188.tif 000012
【図１０】
0003225188.tif 000013
【手続補正書】
【提出日】令和1年12月4日(2019.12.4)
【手続補正１】
【補正対象書類名】実用新案登録請求の範囲
【補正対象項目名】全文
【補正方法】変更
【補正の内容】
【実用新案登録請求の範囲】
【請求項１】
枢支部および組立部を備えており当該組立部が組立面を有する支持構造と、
枢結端と自由端と翼部とを含む円柱体を備える脚体構造と、
を含む折り畳み式昇降可能な支持装置であって、
前記円柱体は、前記支持構造に対して枢動できるように、前記枢結端が前記支持構造の前記枢支部に枢結され、
前記円柱体の前記翼部は、当接面を有し、前記円柱体が展開位置に枢動するとき、前記翼部の前記当接面は、前記組立部の前記組立面に接触して、固定手段により固定されることを特徴とする折り畳み式昇降可能な支持装置。
【請求項２】
前記翼部は、前記円柱体の一側面から径方向に突出することを特徴とする、請求項１に記載の折り畳み式昇降可能な支持装置。
【請求項３】
前記組立部は、前記組立面に設けられるボルトを含み、前記翼部は、前記ボルトに対応する切り口または開口を有し、前記翼部の前記当接面が前記組立部の前記組立面に接触するとき、前記組立部の前記ボルトは、前記翼部の前記切り口または開口を貫通し、前記固定手段は、ナットによりボルトに螺合して、前記翼部を前記組立部に固定することを特徴とする、請求項１に記載の折り畳み式昇降可能な支持装置。
【請求項４】
前記円柱体は、さらに無段式伸縮スリーブのアセンブリを含み、前記無段式伸縮スリーブのアセンブリは、複数のスリーブを含み、前記複数のスリーブは、互いにスリーブ接続して伸縮することで前記円柱体の長さを調節することを特徴とする、請求項１に記載の折り畳み式昇降可能な支持装置。
【請求項５】
前記脚体構造は、さらに、前記無段式伸縮スリーブのアセンブリに設けられたスクリュー及び複数のナットを含み、各前記ナットは、それぞれ前記複数のスリーブのいずれか一つに対応して同軸に固定され、前記スクリューは前記複数のナットを貫通するように配置されており、
前記スクリューが駆動ユニットと連動して回転する場合、前記複数のナットは、前記スクリューと連動して前記スクリューの軸方向に沿って移動し、前記複数のスリーブを伸縮させて前記円柱体の長さを調整させる、ことを特徴とする請求項４に記載の折り畳み式昇降可能な支持装置。
【請求項６】
前記脚体構造は、さらに、支持基部を備え、
前記支持基部は、着脱可能に前記円柱体の前記自由端に連結することを特徴とする、請求項１に記載の折り畳み式昇降可能な支持装置。
【請求項７】
前記支持構造は、テーブルの天板の底面に固定され、
前記テーブルの天板は、中央の天板及び翼端板を含み、
前記翼端板は、前記中央の天板に対して枢動できるように該中央の天板に枢結されることを特徴とする、請求項１に記載の折り畳み式昇降可能な支持装置。
【請求項８】
前記支持構造は、さらに、支持アームを備え、
前記支持アームは、前記組立部に対して枢動できるように該組立部に枢結され、
前記支持アームが折畳み位置に位置するとき、前記支持アームの支持面は、前記中央の天板の底面に向き、前記翼端板と前記中央の天板とがほぼ垂直になり、
前記翼端板が枢動して前記翼端板の上面と前記中央の天板の上面とがほぼ面一になるように展開し、前記支持アームが支持位置に位置するとき、前記支持アームの前記支持面は、前記翼端板の底面に向いて接触して、前記翼端板が前記中央の天板に対して枢動できないように前記翼端板を支持することを特徴とする、請求項７に記載の折り畳み式昇降可能な支持装置。
【請求項９】
前記支持アームは中空のチューブであり、位置決め突出部及び弾性シートを含み、前記中空のチューブは開口を有し、前記弾性シートの一端は、前記中空のチューブの内面に固定され、前記弾性シートの他端は、前記位置決め突出部に固定され、前記中央の天板の底面は凹部を有し、前記支持アームが前記折畳み位置に位置するとき、前記中空チューブの前記開口を前記中央の天板の底面の前記凹部に対応させないことで、前記位置決め突出部が前記弾性シートの弾性力を受けて前記開口を貫通して前記中央の天板の底面に当接し、
前記支持アームが前記支持位置に位置するとき、前記中空チューブの前記開口が前記中央の天板の底面の前記凹部に対応して、前記位置決め突出部が前記弾性シートの弾性力を受けて前記開口を貫通して前記中央の天板の底面の前記凹部に係止ることによって、前記支持アームが前記枢支部に対して枢動できないように配置される、ことを特徴とする請求項８に記載の折り畳み式昇降可能な支持装置。
【請求項１０】
前記翼端板は、前記翼端板の底面に固定されたスペーサを備え、前記支持アームが前記支持位置に位置するとき、前記スペーサは、前記翼端板の底面と前記支持アームの前記支持面との間に位置して、前記翼端板の上面と前記中央の天板の上面とをほぼ面一にさせる、ことを特徴とする請求項８に記載の折り畳み式昇降可能な支持装置。
【請求項１１】
枢支部および組立部を備える支持構造と、
枢結端と自由端と翼部とを含む円柱体を備える脚体構造と、を含む畳み式昇降可能な支持装置であって、
前記円柱体は、前記支持構造に対して枢動できるように、前記枢結端が前記支持構造の前記枢支部に枢結され、
前記円柱体が展開位置に枢動するとき、前記翼部が単点固定形態で前記組立部に固定されることを特徴とする折り畳み式昇降可能な支持装置。
【請求項１２】
前記翼部は前記円柱体の一側面から径方向に沿って突出することを特徴とする、請求項１１に記載の折り畳み式昇降可能な支持装置。
【請求項１３】
前記組立部は、前記組立部の組立面に設けられるボルトを含み、前記翼部は、前記ボルトに対応する切り口または開口を有し、前記翼部の当接面と前記組立部の前記組立面に接触するとき、前記組立部の前記ボルトは、前記翼部の前記切り口または開口を貫通し、前記単点固定形態は、ナットを用いて前記ボルトに螺合して、前記翼部を前記組立部に固定する、ことを特徴とする、請求項１１に記載の折り畳み式昇降可能な支持装置。
【請求項１４】
前記円柱体は、さらに無段式伸縮スリーブのアセンブリを備え、前記無段式伸縮スリーブのアセンブリは、複数のスリーブを備え、前記複数のスリーブは、互いにスリーブ接続して伸縮することで前記円柱体の長さを調整する、ことを特徴とする請求項１１に記載の折り畳み式昇降可能な支持装置。
【請求項１５】
前記脚体構造は、さらに、前記無段式伸縮スリーブのアセンブリに設けられたスクリュー及び複数のナットを含み、各前記ナットは、それぞれ前記複数のスリーブのいずれか一つに対応して同軸に固定され、前記スクリューは前記複数のナットを貫通するように配置されており、
前記スクリューが駆動ユニットと連動して回転する場合、前記複数のナットは、前記スクリューと連動して前記スクリューの軸方向に沿って移動し、前記複数のスリーブを伸縮させて前記円柱体の長さを調整させる、ことを特徴とする請求項１４に記載の折り畳み式昇降可能な支持装置。
【請求項１６】
前記脚体構造は、さらに支持基部を含み、
前記支持基部は、前記円柱体の前記自由端に着脱可能に連結する、ことを特徴とする請求項１１に記載の折り畳み式昇降可能な支持装置。
【請求項１７】
前記支持構造は、テーブルの天板の底面に固定され、
前記テーブルの天板は、中央の天板及び翼端板を含み、
前記翼端板は、前記中央の天板に対して枢動できるように該中央の天板に枢結される、ことを特徴とする請求項１１に記載の折り畳み式昇降可能な支持装置。
【請求項１８】
前記支持構造は、さらに、支持アームを含み、
前記支持アームは、前記組立部に対して枢動できるように該組立部に枢結され、
前記支持アームが折畳み位置に位置するとき、前記支持アームの支持面は前記中央の天板の底面に向いて、前記翼端板と前記中央の天板とがほぼ垂直になり、
前記翼端板が枢動して前記翼端板の上面と前記中央の天板の上面とがほぼ面一になるように展開し、前記支持アームが支持位置に位置するとき、前記支持アームの前記支持面は、前記翼端板の底面に向いて接触して、前記翼端板が前記中央の天板に対して枢動できないように前記翼端板を支持することを特徴とする請求項１７に記載の折り畳み式昇降可能な支持装置。
【請求項１９】
前記支持アームは中空のチューブであり、位置決め突出部及び弾性シートを含み、前記中空チューブは開口を有し、前記弾性シートの一端は前記中空チューブの内面に固定され、前記弾性シートの他端が前記位置決め突出部に固定され、前記中央の天板の底面は凹部を有し、前記支持アームが折畳み位置に位置するとき、前記中空チューブの前記開口を、前記中央の天板の底面の前記凹部に対応させないことで、前記位置決め突出部が前記弾性シートの弾性力を受けて前記開口を貫通して前記中央の天板の底面に当接し、
前記支持アームが前記支持位置に位置するとき、前記中空チューブの前記開口は前記中央の天板の底面の前記凹部に対応して、前記位置決め突出部が前記弾性シートの弾性力を受けて前記開口を貫通して、前記中央の天板の底面の前記凹部に係止ることによって、前記支持アームが前記枢支部に対して枢動できないように配置される、ことを特徴とする請求項１８に記載の折り畳み式昇降可能な支持装置。
【請求項２０】
前記翼端板は、前記翼端板の底面に固定されたスペーサを含み、
前記支持アームが前記支持位置に位置するとき、前記スペーサは、前記翼端板の底面と前記支持アームの前記支持面との間に位置して、前記翼端板の上面と前記中央の天板の上面とがほぼ面一にさせる、ことを特徴とする請求項１８に記載の折り畳み式昇降可能な支持装置。